(57)【要約】  本発明は、貯蔵部に蓄えられた液体から潜熱を採取して、氷スラリを形成する熱交換器と、前記熱を熱消費部へと供給するための手段と、を含むヒートポンプシステムであって、貯蔵部への外部からの液体のランダムな流入と、貯蔵部に蓄えられた氷スラリをシステムの外へと排出するための手段と、を含むことを特徴とするヒートポンプシステムに関する。【選択図】図１
2015511700.tif 000002
【特許請求の範囲】
【請求項１】
貯蔵部（Ｂ）に蓄えられた液体から潜熱を採取して、氷スラリ（Ｆ）を形成する熱交換器（Ａ）と、前記熱を熱消費部（Ｃ）に供給するための手段と、を含むヒートポンプシステムにおいて、
前記ヒートポンプシステムが、前記貯蔵部（Ｂ）への外部液体（Ｅ）のランダムな流入と、前記貯蔵部に蓄えられた氷スラリを前記システムの外に排出するための手段（Ｊ）と、を含むことを特徴とするヒートポンプシステム。
【請求項２】
請求項１に記載のヒートポンプシステムにおいて、
前記熱交換器が第二の回路と第一の回路の一部であり、前記第一の回路が前記液体を循環させるためのポンプ（Ｇ）を含むことを特徴とするヒートポンプシステム。
【請求項３】
請求項１または２に記載のヒートポンプシステムにおいて、
前記熱交換器が前記貯蔵部の外に位置付けられていることを特徴とするヒートポンプシステム。
【請求項４】
請求項１乃至３の何れか１項に記載のヒートポンプシステムにおいて、
前記熱交換器が氷スラリを除去するための手段を含むことを特徴とするヒートポンプシステム。
【請求項５】
請求項４に記載のヒートポンプシステムにおいて、
前記熱交換器が掻き取り表面熱交換器であることを特徴とするヒートポンプシステム。
【請求項６】
請求項１乃至５の何れか１項に記載のヒートポンプシステムにおいて、
前記熱交換器が蒸発器であることを特徴とするヒートポンプシステム。
【請求項７】
請求項１乃至６の何れか１項に記載のヒートポンプシステムにおいて、
前記外部液体が雨水、生活排水、工程用水もしくは液体、またはこれらの組み合わせを含むことを特徴とするヒートポンプシステム。
【請求項８】
請求項１乃至７の何れか１項に記載のヒートポンプシステムにおいて、
低温を低温消費部（Ｄ）に供給し、熱を前記貯蔵部に供給するようになされた冷却回路（Ｋ）をさらに含むことを特徴とするヒートポンプシステム。
【請求項９】
請求項８に記載のヒートポンプシステムにおいて、
前記冷却回路が冷蔵または空気調整システムであることを特徴とするヒートポンプシステム。
【請求項１０】
請求項１乃至９の何れか１項に記載のヒートポンプシステムにおいて、
複数の熱交換器、熱を複数の熱消費部に供給するための複数の第二の回路と、共通の貯蔵部に蓄えられた液体を循環させるための複数の第一の回路と、を含むことを特徴とするヒートポンプシステム。
【請求項１１】
請求項１０に記載のヒートポンプシステムにおいて、
前記複数の熱交換機が前記複数の熱消費部の土地建物に設置されていることを特徴とするヒートポンプシステム。
【請求項１２】
請求項１乃至９の何れか１項に記載のヒートポンプシステムにおいて、
複数の貯蔵部に蓄えられた液体を循環させるための複数の第一の回路を含むことを特徴とするヒートポンプシステム。
【請求項１３】
請求項１２に記載のヒートポンプシステムにおいて、
前記貯蔵部の各々が雨水、生活排水、工程用水または工程溶流体を別々に蓄えることを特徴とするヒートポンプシステム。
【請求項１４】
請求項１乃至１３の何れか１項に記載のヒートポンプシステムにおいて、
前記貯蔵部または前記複数の貯蔵部の多くが地中に設置されていることを特徴とするヒートポンプシステム。
【請求項１５】
消費部に熱を供給する方法において、
−液体を貯蔵部に供給するステップと、
−前記貯蔵部内の前記液体と熱交換的に接触する熱交換器によって前記液体から潜熱を採取し、前記熱を、前記熱交換器を含むループ内で循環する冷媒に伝え、それによって氷スラリを形成するステップと、
−前記熱を前記冷媒から前記消費部に転送するステップと、
を含み、
−外部液体のランダムな供給が前記貯蔵部に供給され、
−前記氷スラリが前記貯蔵部に蓄えられ、
−前記蓄えられた氷スラリの第一の部分が前記貯蔵部内に残り、前記蓄えられた氷スラリの第二の部分が前記貯蔵部から排出され、前記貯蔵部に還流されない
ことを特徴とする方法。
【発明の詳細な説明】
【技術分野】
【０００１】
本発明は、貯蔵部に畜えられた液体から潜熱を採取する熱交換器と、前記熱を熱利用部に供給するための手段と、を含むヒートポンプシステムに関する。
【背景技術】
【０００２】
ヒートポンプは、ある環境から別の環境に熱エネルギーを移動させることができる。一般に、ヒートポンプの動作は次のとおりである。冷媒がその気体状態で圧縮機により加圧され、システム内で循環される。圧縮機の排出側では、高温、高圧となった蒸気が熱交換器（好ましくは凝縮器）の中で冷却され、最終的に凝縮して高圧で中温の液体となる。凝縮した冷媒は次に、膨張弁等の減圧装置を通過する。膨張弁から出た低圧の液体冷媒が別の熱交換器（好ましくは蒸発器）に入り、その中では流体が熱を吸収して沸騰する。すると冷媒は圧縮機に戻り、このサイクルが繰り返される。蒸発器は熱源から熱を採取し、凝縮器は熱を熱消費部に供給する。
【０００３】
地熱ヒートポンプの場合、地面、地下水または地表水の熱が、多くは建物の暖房のための熱源として使用される。熱源の熱リチャージは、周囲の地質からの熱の移動と地表面の季節的な温度サイクルに依存する。２つの一般的な種類、すなわち開ループシステムと閉ループシステムに大別できる。
【０００４】
開ループシステムでは、井戸からの自然水（地下水または地表水）が、冷媒を収容したヒートポンプ回路の熱交換器へと汲み上げられる。水の比熱が採取され、冷却された水は別の還元井戸、用水路、または水域に戻される。供給および戻りラインは相互に十分な距離だけ離して、水熱源の熱リチャージが確実に行われるようにしなければならない。
【０００５】
上記の開ループシステムの欠点は、潜熱の採取によって熱源の出力は増大するが、比熱だけしか採取できないことである。その理由の１つは、潜熱の採取によって形成される氷を別の還元井戸、用水路または水域に再び送出することが非常に難しいからである。
【０００６】
開ループシステムの他の欠点は、大量の循環水の必要性と供給および戻りライン間の距離に起因する設備の大きさである。
【０００７】
さらに、他の欠点は、開ループヒートポンプシステムが地下水と地表水の利用に関する現地法令に依存することである。
【０００８】
閉ループシステムでは、ヒートポンプは液体または冷媒を地下または水貯蔵部の中の閉ループ管路内で循環させ、熱交換する。
【０００９】
地下水の潜熱は採取可能であるものの、深刻な制約として、地下の熱流束が地面の熱伝達性とループの管路に付着する氷層の形成によって大きく制限される。
【００１０】
閉ループシステムの他の欠点は、地熱交換機の大きさと水貯蔵部の大きさであり、これは、冬場に十分な熱を供給するために地下または水貯蔵部に保存しておく必要のある熱の量による。その一例は、独国特許第４４０５９９号に記載されている。水貯蔵部の大きさは、この技術を人口密集地に適用する上での重大な制約となる。
【００１１】
融氷を再び促進し、必要な貯蔵部の大きさを縮小しようとする試みにおいて、欧州特許第１８０７６７２号に記載されているように、別の熱源、例えばソーラーパネルを追加できるが、これによって貯蔵部へのリチャージがより複雑でコスト高となる。
【００１２】
閉ループシステム内の融氷の別の例が米国特許第６６８１５９３号に記載されており、これは潜熱を採取するための採熱器を備える浅いプールと、浮遊氷片をプールから除去して貯蔵部に入れるための毛ブラシコンベヤを使用する。明らかに、このようなシステムは複雑でコストがかかり、浅いプールはさらに大きい表面積を占める。
【００１３】
さらに、閉ループヒートポンプシステムの別の欠点は、定義上、生活排水等、廃熱エネルギーを含む外部水を、比熱の代わりに潜熱を供給するための熱源として使用できないことである。
【００１４】
独国特許出願公開第２９５２５４１  Ａ１号明細書、独国特許出願公開第１０１１４２５７  Ａ１号明細書、独国特許出願公開第１０２０１０００６８８２  Ａ１号明細書、独国実用新案第２０２００４００６８５３  Ｕ１号明細書、欧州特許第１８０７６７２号明細書、米国特許第６９０４９７６  Ｂ２号、国際出願公開第２００９１２３４５８  Ａ１号を参照することができ、これらは上記の欠点と直面している。
【００１５】
そこで、本発明の目的は、既知のヒートポンプシステムと比較して、均等な、または改善された性能を有し、現在のヒートポンプシステムと比較してより小型の熱源貯蔵部を有するヒートポンプシステムを提供することである。
【００１６】
本発明の目的はまた、都市化地域、特に建物空間が欠乏している地域での使用に適した特性を有するヒートポンプシステムを提供することでもある。
【００１７】
本発明の他の目的は、氷の生成による熱流束の制限の少ないヒートポンプシステムを提供することである。
【００１８】
本発明の他の目的は、熱源のリチャージをより単純に、より低コストで行うことができ、特に温暖な季節中のリチャージを可能にするヒートポンプシステムを提供することである。
【００１９】
さらに、本発明の他の目的は、雨水および、廃水、特に生活排水内の廃熱エネルギーを熱源として使用することが可能なヒートポンプシステムである。
【００２０】
これに加えて、本発明の目的は、地下水と地表水の使用に関する現地法令に対する独立性の低いヒートポンプシステムを提供することである。
【００２１】
これに加えて、本発明の目的は、電力消費量ピーク時以外の時間帯の熱生成を可能にするヒートポンプシステムを提供することである。
【００２２】
本発明は、上記の目的に対処するために、貯蔵部に蓄えられた液体から潜熱を採取して、氷スラリを形成する熱交換器と、前記熱を熱消費部に供給するための手段と、を含むヒートポンプシステムを提供し、その特徴は、ヒートポンプシステムが、貯蔵部への外部液体のランダムな流入と、氷スラリをシステムの外部に排出するための手段と、を含むことである。
【発明の概要】
【００２３】
本発明は、貯蔵部に蓄えられた液体から潜熱を採取して、氷スラリを形成する熱交換器と、前記熱を熱消費部に供給するための手段と、を含むヒートポンプシステムに関し、その特徴は、ヒートポンプシステムが、貯蔵部への外部液体のランダムな流入と、貯蔵部に蓄えられた氷スラリをシステムの外部に排出するための手段と、を含むことである。外部液体とは、前記排出された氷スラリに由来する液体が貯蔵部に再循環される再循環ループではなく、システムの外側にある１つまたは複数の発生源に由来する液体と定義される。ランダムな流入とは、外部液体の利用可能性に応じて、定期的または不定期的な時期にあらゆる種類の外部液体が供給されることと理解する。
【図面の簡単な説明】
【００２４】
【図１】図１は、本発明によるヒートポンプシステムのある実施形態を示す。
【図２】図２は、本発明によるヒートポンプシステムの、熱交換器が貯蔵部の外に位置付けられている実施形態を示す。
【図３】図３は、本発明によるヒートポンプシステムの、貯蔵部に貯蔵された液体および／または氷スラリを循環させることによって、低温消費部に低温を供給するようになされた冷却回路をさらに含む実施形態を示す。
【図４】図４は、本発明によるヒートポンプシステムの、低温を低温消費部に供給し、熱を貯蔵部に供給するようになされた冷却回路をさらに含む実施形態を示す。
【図５】図５は、本発明によるヒートポンプシステムの、都市化地域で使用するための実施形態を示す。
【発明を実施するための形態】
【００２５】
本発明による、図１に示される第一の実施形態では、貯蔵部に蓄えられた液体から潜熱を採取して、氷スラリ（Ｆ）を形成する熱交換器（Ａ）と、前記熱を熱消費部（Ｃ）に供給するための手段と、を含むヒートポンプシステムが提供され、その特徴は、ヒートポンプシステムが、貯蔵部（Ｂ）への外部液体（Ｅ）のランダムな流入と、貯蔵部に蓄えられた氷スラリをシステムの外に排出するための手段（Ｊ）と、を含むことである。
【００２６】
本発明に関連して、外部液体のランダムな流入とは、外部液体の利用可能性に応じて、定期的または不定期的な時期にあらゆる種類の外部液体、すなわちヒートポンプシステムの外の何れかの場所から貯蔵部に供給され、特定の量の熱エネルギーを含む液体、が流入することであってよい。その例は、収集された雨水、生活排水、海水、あらゆる種類の製造または産業活動（食品産業を含む）からの工程用水または流体の流入であってもよい。
【００２７】
本発明のシステムが当技術分野で知られている閉ループシステムと異なる点は、貯蔵部に追加される外部液体が、再循環ループからではなく、外部の発生源に由来することである。換言すれば、貯蔵部から取り除かれた氷スラリは外部液体の発生源ではない。そのため、貯蔵部を冬の間、潜熱を採取するのに十分な量の液体を収容できるほどの大きさとする必要がない。貯蔵部の大きさはそれゆえ、閉ループシステムと比較して小型化できる。
【００２８】
本発明のシステムが当技術分野で知られているほとんどの開ループシステムと異なる点は、外部液体の供給がランダムであること、すなわち、供給が、地下水が所定の速度で貯蔵部に揚水される開ループシステムのように制御されないことである。それゆえ、供給は外部液体の発生源の利用可能性に依存する。したがって、外部液体の発生源は好ましくは、１つの発生源ではなく、複数の発生源、例えば上記のような雨水、生活排水等である。他の相違点は、今日存在するほとんどの開ループシステムでは、潜熱が採取されず、氷スラリも除去されないことである。本発明のシステムでは、氷スラリがシステムの外へと排出される。
【００２９】
当技術分野で知られている一部の開ループシステムとの他の違いは、熱交換器により形成され、貯蔵部に蓄えられる氷スラリが貯蔵部に蓄えられ、その一部がそこに留まり、他の一部はシステムの外へと排出されることである。残っている部分が貯蔵部周辺の土壌および／または外部液体の流入から採熱する。その結果、氷スラリは少なくとも部分的に融けて再び潜熱を含む熱源となり、その一方で、蓄えられた氷スラリの別の部分はシステムの外へと排出されて、潜熱を含む同じ量の外部液体と入れ替わる。このような、半開ループシステムの周期的プロセスの結果として、ランダムに、少なくとも部分的に熱源のリチャージが行われる。
【００３０】
本発明はそれゆえ、消費部に熱を供給する方法にも関し、これは、
−液体を貯蔵部に供給するステップと、
−前記貯蔵部内の液体と熱交換的に接触する熱交換器によって前記液体から潜熱を採取し、前記熱を、前記熱交換器を含むループ内で循環する冷媒に伝え、それによって氷スラリを形成するステップと、
−前記熱を冷媒から消費部に転送するステップと、
を含み、
−外部液体のランダムな供給が前記貯蔵部に供給され、
−前記氷スラリが貯蔵部に蓄えられ、
−蓄えられた氷スラリの第一の部分が貯蔵部内に残り、蓄えられた氷スラリの第二の部分が貯蔵部から排出され、貯蔵部に還流されない。
【００３１】
この方法で使用される外部液体およびランダムな供給は、本発明のシステムに関して上述した定義と例示のとおりである。
【００３２】
氷スラリは貯蔵部の中に、熱交換器が貯蔵部の中に沈められている場合は貯蔵部に残ることによって、または熱交換器が貯蔵部の外にある場合はそこに戻ることによって蓄えられる。
【００３３】
熱消費部に熱を供給するための手段は、冷媒（図示せず）と、熱交換器（好ましくは凝縮器であってもよい）と、凝縮器と、膨張弁等の減圧装置と、別の熱交換器（好ましくは蒸発器であってもよい）と、を含んでいてもよい。
【００３４】
冷媒は、何れも家庭用または工業用の従来のヒートポンプ、冷蔵または空気調整システムで使用されるあらゆる種類の冷媒であってよい。冷媒は、液体、異なる液体の混合物（例えば、水／グリコール混合物）、気体、蒸発して気体となり、再び凝縮する液体、固体溶液等であってもよい。
【００３５】
外部液体のランダムな流入は、貯蔵部にさらに多くの熱エネルギーを供給し、これは貯蔵部内に残っている（すなわち蓄えられている）氷スラリ中の氷から潜熱を採取し、任意選択によって氷を融かすために使用される。
【００３６】
熱交換器の表面付近において、液体の温度はその相変化温度まで下がり、結晶化して、その結果、氷スラリが形成される（簡単な言い方とするために、「氷」は、本発明にしたがって使用されるあらゆる種類の液体の固相と理解する）。熱交換器の表面に付着する氷層と異なり、氷スラリは除去し、または汲み出すことができる。その結果、熱交換器の熱交換プロセスの性能が保持され、氷スラリを、潜熱を含む新しい液体と入れ替えることができる。このようにして冬の間、潜熱を採取するのに十分な量の水を収容する貯蔵部が不要となり、したがって貯蔵部の大きさを縮小できる。
【００３７】
外部液体の流入と氷スラリの除去は、随意選択により、その補助として氷層の形成を防止し、氷スラリの形成を促進するための他の手段を使用してもよく、これは例えば液体を常に動かすための手段、例えば貯蔵部内に設置された攪拌機、循環回路、または貯蔵部から排水部（図１も参照）へのオーバーフロー接続等である。
【００３８】
本発明によれば、ヒートポンプシステムは、氷スラリをシステムから排出するための手段を含む。液体表面に浮いている氷スラリは例えばオーバーフローによって除去でき、これは随意選択により、例えば貯蔵部内に取り付けられた掻把機構と組み合わせてもよい。
【００３９】
熱交換器は沈められていても、貯蔵部の外に設置されていてもよい。
【００４０】
熱交換器は、沈められている場合、貯蔵部から第二の回路へと潜熱を直接採取してもよい。
【００４１】
熱交換器は、図２に示されるように貯蔵部の外に配置されている場合、第二の回路と第一の回路の両方の一部であり、第一の回路は貯蔵部に蓄えられた液体を、熱交換器を通って循環させるためのポンプ（Ｇ）を含み、熱交換機は第一の回路からの潜熱を採取して、熱を熱消費部に供給する第二の回路へと向かわせる。
【００４２】
本発明で使用される熱交換器は、貯蔵部内に沈められて、貯蔵部から第二の回路に潜熱を直接供給するのに適した何れの種類の熱交換器であっても、また第一の回路からの潜熱を、熱消費部に熱を供給する第二の回路に伝達するのに適した何れの種類の熱交換機であってもよい。
【００４３】
好ましくは、熱交換器は氷スラリを除去するようになされていてもよく、これは、熱交換器がその表面に付着した氷を再び貯蔵部に、または第一の回路に押し出すようになされていることを意味する。このような熱交換器の例は、掻き取り表面熱交換器であってもよく、これはねじが、氷スラリを生成する熱交換器の内面上に形成された氷の結晶を掻き取る。
【００４４】
好ましくは、熱交換器は蒸発器であってもよく、これはヒートポンプシステムの性能向上に役立ちうる。
【００４５】
貯蔵部に蓄えられた液体と外部液体は、雨水、生活排水、海水、製造または産業工程用水または流体（廃水か否かを問わない）またはその組み合わせを含んでいてもよい。その結果、貯蔵部は雨水集水器、生活排水集水器、処理タンク、冷却タンク等であってもよい。明らかに、地下水と地表水も使用できるが、本発明の利点は、雨水および／または廃水の熱エネルギーを、地下水および地表水の利用に関する現地法令に依存せずに使用できることである。
【００４６】
本発明の実施形態において、ヒートポンプシステムはさらに冷却回路を含んでいてもよい。
【００４７】
このような冷却回路（Ｋ）は、図３に示されるように、循環する液体および／または貯蔵部に蓄えられた氷スラリによって低温を消費部に供給するようになされていてもよい。例えば夏には土壌の温度が周辺温度より低く、土壌温度を有する液体が、消費部の土地建物を冷却するために循環され、その一方で消費部の上水を加熱するように循環されてもよい。
【００４８】
図４に示されるように、このような冷却回路（Ｋ）は、低温を低温消費部（Ｄ）に供給するだけでなく、熱を貯蔵部に運ぶようにもなされていてよい。この場合、低温消費部の土地建物での採熱のために冷蔵または空気調整システムを配置してもよい。
【００４９】
具体的な実施形態において、低温消費部と熱消費部は同じ実体であってもよく、例えばある消費部がその冷蔵および冷凍庫から採熱し、この熱を貯蔵部に蓄え、その少なくとも一部を暖房したい部屋に供給する。
【００５０】
本発明によれば、ヒートポンプシステムは複数の熱交換器、複数の熱消費部に熱を供給するための複数の第二の回路と、共通の貯蔵部内に蓄えられた液体を循環させるための複数の第一の回路と、を含んでいてもよい。随意選択により、複数の熱交換器を複数の熱消費部の土地建物に据え付けてもよい。例えば、熱消費部の各々が、据え付けられた個々の熱交換機（と循環ポンプ）と、共通の貯蔵部（例えば、道路の下の共通の雨水集水器）から採熱するための適当な管路と、を有していてもよい。この実施形態は、建物空間の欠乏がヒートポンプによる暖房を使用する上での深刻な制約となる都市化地域において、非常に有利であるかもしれない。
【００５１】
あるいは、複数の貯蔵部の中に蓄えられた液体を循環させるため複数の第一の回路が使用されてもよい。種類の異なる液体を混合してはならない場合、雨水、生活排水、または工程用水等を別々に蓄えて、各貯蔵部のためのそれぞれの外部液体の流入を提供することが有利であろう。
【００５２】
前述のように、貯蔵部または複数の貯蔵部の多くを地中に設置して、外部液体の流入からの熱エネルギーの他に、地熱エネルギーも貯蔵部の加熱のために使用してもよい。あるいは、これらは他の場所に設置してもよく、その際、随意選択により、何れかの種類の廃熱源または周囲の熱を使って貯蔵部を加熱してもよい。
【００５３】
さらに、熱交換器に供給する循環ポンプを制御することによって、需要または電気使用量ピーク時以外の時間帯に基づいて熱の生成を調整して、ヒートポンプシステムを運転することができる。この場合、貯蔵部は電力使用量ピーク時以外の時間帯に供給するべき熱を蓄えるために使用してもよい。
【実施例】
【００５４】
例１は、本発明によるヒートポンプシステムの、従来のシステムより小型化された貯蔵部の大きさを示している。
【００５５】
１５０ｍ２で住人４名が住む平均的なベルギーの住宅が現在の現地規則に従って絶縁され、平均的なベルギーの気象条件に曝される場合、家の暖房と家庭内の給湯に必要な熱を供給するために、約２０，０００〜２５，０００リットルの貯蔵部が必要である。貯蔵部は地中に埋められ、必要な地表面は車１台分の駐車スペースより小さい。
【００５６】
例２は、本発明によるヒートポンプシステムの都市化地域での利用を示している。
【００５７】
ヒートポンプに水を供給するための雨水集水ピットは複数の使用者によって使用可能である。その場合、雨水を雨水分配ループにより分配しなければならない。雨水貯蔵部が公道のアスファルトの下に設置され、他の便益供給および排水システムに組み込まれる。雨水集水用の表面は雨水集水ピットの設計と大きさ決定において重要なパラメータであるため、公道の表面と住宅の屋根の表面と組み合わせて、できるだけ多くの雨水を収集することが有利である。システムはこれで、公共便益システムとなり、例えば公共または民間所有の便益事業会社によって調査、維持される。これによって従来のヒートポンプ技術ではほとんど不可能であった人口密集地域におけるヒートポンプの使用が可能となる。
【００５８】
例３は、本発明によるヒートポンプシステムの産業での使用者に対する利用を示している。
【００５９】
多くの産業複合施設は、広い駐車スペースと何平方メートルもの平らな屋根を有し、これは雨水タンクに供給される雨水の集水にとって理想的である。これらの複合施設はまた、大雨が降った時に溢れるのを防止するために確実に雨水の排水を制御して行うための貯水ピットも有する。これらの貯水ピットはヒートポンプに供給する雨水タンクに変形でき、エネルギー供給の観点から有益である。
【００６０】
産業活動においてサプライチェーンまた製造工程の一環として製品保存用の冷蔵室を使用する場合、氷スラリは低熱源として使用できる。雨水タンク内の水と氷の混合物は、建物の暖房のための潜熱の供給に適しているだけでなく、冷蔵室への低温供給にも使用できる。冬季は冷蔵室から採熱されて、建物の暖房に使用されるため、これは一石二鳥の状況となる。雨水はエネルギー担体およびエネルギー貯蓄媒体の役割を果たし、熱または低温の供給と需要のギャップを補償するため、これはエネルギーの浪費が減少することを意味する。
【図１】
2015511700.tif 000003
【図２】
2015511700.tif 000004
【図３】
2015511700.tif 000005
【図４】
2015511700.tif 000006
【図５】
2015511700.tif 000007
【国際調査報告】
2015511700.tif 000008
2015511700.tif 000009
2015511700.tif 000010